(57)【要約】      （修正有）【課題】使用しないときには、全体的に直立状態でもって安定して姿勢保持できる清掃具を提供する。【解決手段】保持棒１０の先端部に回動自在に取付けられた保持板２０が、保持棒１０と直角あるいは傾斜された使用位置と、その一面側が保持棒１０と略平行な位置となる折りたたみ位置とを選択的にとり得る。保持板２０の一面側に対して清掃マット３０が着脱自在に取付けられる。保持棒１０に、その長手方向に摺動自在として、しごき部４２が設けられる。保持板２０を折りたたみ位置として、しごき部４２を保持棒１０の長手方向に変位させることにより、しごき部４２によって清掃マット３０の表面が押圧されつつしごかれる。しごき部４２を、保持棒１０の先端側に位置させて、その先端面４２を床面７０に着座させることにより、清掃具Ｓが直立姿勢となる状態が保持される。【選択図】図７
0003203756.tif 000002
【実用新案登録請求の範囲】
【請求項１】
保持棒と、
前記保持棒の先端部に回動自在に取付けられ、その回動に応じて該保持棒と直角あるいは傾斜された使用位置と、その一面側が該保持棒と略平行な位置となる折りたたみ位置とを選択的にとり得るようにされた保持板と、
前記保持板の一面側に対して着脱自在に取付けられる清掃マットと、
前記保持棒の長手方向に摺動自在に保持されたしごき用部材と、
を備え、
前記しごき用部材は、前記保持板が前記折りたたみ位置のときに、手動操作により前記保持棒の長手方向に移動されることによって、前記保持板に取付けられた前記清掃マットの表面を押圧しつつしごくためのしごき部を有しており、
前記しごき部は、前記保持板が前記折りたたみ位置にあるときに、前記保持棒の基端部側に向けて変位させることにより前記保持板から離脱した離脱位置をとり得るようにされ、
前記保持板を折りたたみ位置とした状態で前記しごき部を前記保持棒の先端側に位置させて該しごき部の先端面を床面に着座させた状態で、前記保持棒が直立姿勢となる状態を維持できるようにされている、
ことを特徴とする清掃具。
【請求項２】
請求項１において、
前記しごき用部材は、前記しごき部よりも前記保持棒の基端部側において該保持棒に摺動自在に嵌合された嵌合部と、該嵌合部と該しごき部とを連結する連結部と、を有している、ことを特徴とする清掃具。
【請求項３】
請求項１または請求項２において、
前記しごき部は、前記清掃マットの幅方向に伸びて該清掃マットの表面をしごいたときに回転されるローラを備えている、ことを特徴とする清掃具。
【請求項４】
請求項１ないし請求項３のいずれか１項において、
前記しごき部は、前記清掃マットの幅方向に間隔をあけて該清掃マットの表面を押圧するための複数の突起部を有している、ことを特徴とする清掃具。
【請求項５】
請求項１ないし請求項４のいずれか１項において、
前記折りたたみ位置とされた前記保持板のうち、前記保持棒の基端部側の端部に、前記保持棒の基端部側に向けて伸びる係止爪部が形成され、
前記清掃マットの一端部に、前記係止爪部が挿入される係止袋部が形成され、
前記しごき部を前記保持棒の基端部側から先端部側に向けて変位させて該保持板に取付けられた前記清掃マットをしごくときに、前記係止爪部と前記係止袋部とによる係止作用によって、該清掃マットが該保持板から剥がれることが規制される、
ことを特徴とする清掃具。
【請求項６】
請求項５において、
前記保持板の前記一面側には、面ファスナが固定され、
前記清掃マットの裏面側に設けられた係止用布が前記面ファスナに係止される、
ことを特徴とする清掃具。
【請求項７】
請求項１ないし請求項６のいずれか１項において、
前記しごき用部材の前記保持棒に対する摺動可能な範囲が、該保持棒の先端部側および基端部側の２箇所に設けた一対のストッパ部の範囲となるように規制されている、ことを特徴とする清掃具。
【請求項８】
請求項７において、
前記しごき用部材は、前記保持棒の基端部側のストッパ部の位置で係止される、ことを特徴とする清掃具。
【請求項９】
請求項１ないし請求項８のいずれか１項において、
前記しごき部は、その全周囲が閉じられた環状に形成されている、ことを特徴とする清掃具。
【請求項１０】
請求項３において、
前記しごき部に、前記ローラと対向させて、前記保持板の他面側に接触されて該保持板をガイドするためのガイドローラが設けられている、ことを特徴とする清掃具。
【考案の詳細な説明】
【技術分野】
【０００１】
本考案は、清掃具に関するものである。
【背景技術】
【０００２】
床面等を水拭きによって清掃する清掃具として、特許文献１に記載のようなものがある。すなわち、保持棒の先端部に保持板を回動自在に取付けて、この保持板の一面側に対して着脱自在に取付けられた清掃マットを、保持棒に保持させた清掃用部材でもって清掃できるようにしたものが開示されている。
【先行技術文献】
【特許文献】
【０００３】
【特許文献１】特開２０１４−０４６１４４号公報
【考案の概要】
【考案が解決しようとする課題】
【０００４】
特許文献１に記載のような清掃具にあっては、収納しておくときや清掃を一時的に中断する非使用時には、壁面に立てかけたり、横向き姿勢で床面に載置しておく必要がある。しかしながら、清掃具を横向き姿勢で床面に載置する場合は、かなりのスペースを必要とする他、見栄えも悪いものとなり、これに加えて床面への清掃具の載置と載置された清掃具を拾い上げるという作業が必要となって身体への負担が大きいものとなる。また、清掃具を壁面に立てかけておく場合は、清掃具の収納位置が限定的にならざるを得ない他、壁面を清掃具によって傷つけてしまうおそれがある。
【０００５】
本考案は以上のような事情を勘案してなされたもので、その目的は、使用しないときには、全体的に直立状態でもって安定して姿勢保持させておくことのきるようにした清掃具を提供することにある。
【課題を解決するための手段】
【０００６】
前記目的を達成するため、本考案にあっては次のような解決手法を採択してある。すなわち、請求項１に記載のように、すなわち、
保持棒と、
前記保持棒の先端部に回動自在に取付けられ、その回動に応じて該保持棒と直角あるいは傾斜された使用位置と、その一面側が該保持棒と略平行な位置となる折りたたみ位置とを選択的にとり得るようにされた保持板と、
前記保持板の一面側に対して着脱自在に取付けられる清掃マットと、
前記保持棒の長手方向に摺動自在に保持されたしごき用部材と、
を備え、
前記しごき用部材は、前記保持板が前記折りたたみ位置のときに、手動操作により前記保持棒の長手方向に移動されることによって、前記保持板に取付けられた前記清掃マットの表面を押圧しつつしごくためのしごき部を有しており、
前記しごき部は、前記保持板が前記折りたたみ位置にあるときに、前記保持棒の基端部側に向けて変位させることにより前記保持板から離脱した離脱位置をとり得るようにされ、
前記保持板を折りたたみ位置とした状態で前記しごき部を前記保持棒の先端側に位置させて該しごき部の先端面を床面に着座させた状態で、前記保持棒が直立姿勢となる状態を維持できるようにされている、
ようにしてある。
【０００７】
上記解決手法によれば、清掃マットが取付けられた保持板を折りたたみ位置として、しごき用部材を保持棒に沿って摺動変位させることによって、しごき部によって清掃マットをしごいて，清掃マットから余分な水分や汚物が除去されることになる。使用しないときは、しごき部を保持棒の先端側に位置させて、しごき部の先端面を床面に着座させることにより、清掃具を直立姿勢状態（保持棒が上下方向に伸びる状態）でもって保持させておくことができる。
【０００８】
上記解決手法を前提とした好ましい態様は、請求項２以下に記載のとおりである。すなわち、
前記しごき用部材は、前記しごき部よりも前記保持棒の基端部側において該保持棒に摺動自在に嵌合された嵌合部と、該嵌合部と該しごき部とを連結する連結部と、を有している、ようにしてある（請求項２対応）。この場合、清掃作業者は、嵌合部を把持してしごき用部材を摺動変位させることによって、高い姿勢でもって清掃マットのしごきを行うことができる。
【０００９】
前記しごき部は、前記清掃マットの幅方向に伸びて該清掃マットの表面をしごいたときに回転されるローラを備えている、ようにしてある（請求項３対応）。この場合、清掃マットを円滑にしごくことができる。
【００１０】
前記しごき部は、前記清掃マットの幅方向に間隔をあけて該清掃マットの表面を押圧するための複数の突起部を有している、ようにしてある（請求項４対応）。この場合、清掃マットに付着している例えば髪の毛のような糸状片等の異物をより確実に除去する上で好ましいものとなる。
【００１１】
前記折りたたみ位置とされた前記保持板のうち、前記保持棒の基端部側の端部に、前記保持棒の基端部側に向けて伸びる係止爪部が形成され、
前記清掃マットの一端部に、前記係止爪部が挿入される係止袋部が形成され、
前記しごき部を前記保持棒の基端部側から先端部側に向けて変位させて該保持板に取付けられた前記清掃マットをしごくときに、前記係止爪部と前記係止袋部とによる係止作用によって、該清掃マットが該保持板から剥がれることが規制される、
ようにしてある（請求項５対応）。この場合、しごきのために清掃マットにしごき部を接触させる当初において、清掃マットが不用意に保持板から引きはがされてしまう事態を防止することができる。
【００１２】
前記保持板の前記一面側には、面ファスナが固定され、
前記清掃マットの裏面側に設けられた係止用布が前記面ファスナに係止される、
ようにしてある（請求項６対応）。この場合、保持板に対する清掃マットの取付け、取外しを容易に行う上で好ましいものとなる。
【００１３】
前記しごき用部材の前記保持棒に対する摺動可能な範囲が、該保持棒の先端部側および基端部側の２箇所に設けた一対のストッパ部の範囲となるように規制されている、ようにしてある（請求項７対応）。この場合、しごき用部材が保持棒から不用意に抜け出てしまう事態を防止することができる。
【００１４】
前記しごき用部材は、前記保持棒の基端部側のストッパ部の位置で係止される、ようにしてある（請求項８対応）。この場合、清掃中に、しごき用部材が不用意に下方へと変位してしまう事態を防止する上で好ましいものとなる。
【００１５】
前記しごき部は、その全周囲が閉じられた環状に形成されている、ようにしてある（請求項９対応）。この場合、清掃具を床面上に直立姿勢状態としておく状態をより確実に確保する上で好ましいものとなる。
【００１６】
前記しごき部に、前記ローラと対向させて、前記保持板の他面側に接触されて該保持板をガイドするためのガイドローラが設けられている、ようにしてある（請求項１０対応）。この場合、ローラによって清掃マットのしごきを行う際に、ガイドローラによって保持板がスムーズにガイドされると共に、ローラによる清掃マットに対する押圧状態を確実に確保する上で好ましいものとなる。
【考案の効果】
【００１７】
本考案によれば、使用しないときには、全体的に直立状態でもって安定して姿勢保持させておくことのきるようにした清掃具を提供することができる。
【図面の簡単な説明】
【００１８】
【図１】本考案による清掃具の一例を示す斜視図。
【図２】しごき用部材を示す斜視図。
【図３】しごき用部材が折りたたみ位置にある保持板から離脱した状態を示す要部斜視図。
【図４】保持棒と保持板との連結部位を示す要部側面図。
【図５】しごき部によって清掃マットをしごいている状態を示す要部側面図。
【図６】しごき部をもっとも先端位置にしたときの状態を示す要部側面図。
【図７】清掃具が直立姿勢状態でもって床面に載置されている状態を示す斜視図。
【図８】保持板の一面側を示す平面図。
【図９】図８を上方から見た図。
【図１０】清掃マットの裏面側を示す平面図。
【図１１】しごき部をその先端面側から見た図で、清掃マットを取外した状態での保持板と上下のローラとの関係を示す。
【考案を実施するための形態】
【００１９】
図１において清掃具Ｓは、大別して、保持棒１０と保持板２０と清掃マット３０としごき用部材４０とを有する。保持棒１０は、下保持棒１１と上保持棒１２との分割構成とされて、下保持棒１１の基端部に設けた継手部１１ａを利用して、下保持棒１１と上保持棒１２とが着脱自在に連結可能とされている。保持棒１０を短い状態で使用するときは、下保持棒１１から上保持棒１２を除外した状態で使用され、保持棒１０を長い状態で使用するときに、下保持棒１１と上保持棒１２とが連結される。そして、下保持棒１１の先端部には、合成樹脂からなる取付ブラケット１３が、接着あるいはねじ止めによって一体化されている。
【００２０】
保持板２０は、実施形態では合成樹脂によって略長方形状に形成されて、その一面側２０ａが清掃マット３０の取付面とされた平坦面とされている。保持板２０は、保持板２０の他面側の中央部において、継手５０を介して、下保持棒１１（の先端部に一体化された取付ブラケット１３）に対して、回動自在に取付けられる。実施形態では、継手５０は、継手部材５１を有して、この継手部材５１に形成された一対の軸部５１ａが、保持板２０に設けた一対の支持部２０ｂに対して回動自在に嵌合、保持されている。軸部５１ａの回転方向が、図４中破線矢印で示される。
【００２１】
下保持棒１１の先端部（取付ブラケット１３）は、前記継手部材５１に対して、連結ピン５２によって、回動自在に連結されている。この連結ピン５２は、前記軸部５１ａと直交する方向に伸びていて、継手部材５１に対して下保持棒１１が図４中実線矢印で示すように回動可能とされる。軸部５１ａ回りの回動と連結ピン５２回りの回動とによって、保持板２０は、下保持棒１１に対して３６０度方向に回動可能とされている。
【００２２】
保持板２０は、継手５０を利用した回動によって、例えば図１に示すように下保持棒１１に対して直角あるいは傾斜された使用位置（清掃用位置）と、図４（の実線）、図５、図６あるいは図７に示すように保持板２０が下保持棒１１と平行に伸びる折りたたみ位置と、を選択的にとり得るようになっている。ただし、図４に示すように、連結ピン５２を中心とした回動は、一方向においては上記折りたたみ位置となるようにされているが、他方向へは、図４一点鎖線で示すように下保持棒１１とは平行あるいはほぼ平行にまでは至らない角度範囲での回動となるように回動規制されている（取付ブラケット１３の一部が、保持板２０の支持部２０ｂに当接することにより回動規制）。
【００２３】
図８、図９に示すように、折りたたみ位置にある状態において、保持板２０の一面側２０ａには、図４、図５において下保持棒１１の基端部側（図４、図５左方側で、図１上方側）となる方向の端部において、その幅方向に間隔をあけて複数（実施形態では３個）の係止爪部２０ｃが形成されている。
【００２４】
保持板２０の一面側２０ａにはさらに、その長手方向に伸びるようにして左右一対の面ファスナ２１が固定されている。面ファスナ２１は、不織布等の微細な凹凸を有する面が押しつけられたときに係止作用を発揮するものである（接合機能の発揮）。
【００２５】
清掃マット３０は、その表面側（清掃面となる側）が短く起毛されたモップ状として形成される一方、裏面側（保持板２０への取付面側）には、不織布等によって微細な凹凸を有するように形成されている。そして、清掃マット３０の裏面側には、その長手方向端部において、その幅方向に間隔をあけて複数（実施形態では３個）の係止袋部３０ａが形成されている。この係止袋部３０ａは、図１０中、下方のみが開口されている。このような清掃マット３０は、外力が作用しない状態での厚みが１０ｍｍ〜２０ｍｍ程度の厚さとされて、十分に吸水できるようにされている。
【００２６】
清掃マット３０を保持板２０（の一面側２０ａ）に取付けるには、まず、その係止袋部３０ａを、保持板２０の係止爪部２０ｃに挿入する（係止袋部３０ａに対する係止爪部２０ｃの挿入方向が図１０において矢印で示される）。この後、清掃マット３０を保持板２０の全体に亘って広がるようにさせて、面ファスナ２１を利用して保持板２０に取付けられる。清掃マット３０を保持板２０から取外すには、面ファスナ２１から清掃マット３０を引きはがしたの後、係止袋部３０ａを係止爪部２０ｃから引き抜けばよい。
【００２７】
次に、しごき用部材４０について説明する。しごき用部材４０は、例えば合成樹脂によって、嵌合部４１としごき部４２と連結部４３とを一体的に有するものとされている。嵌合部４１は、筒状とされて、下保持棒１１の外周に摺動自在に嵌合されている。しごき部４２は、全体的に周囲が閉じられた環状に形成されていて、後述するように、保持板２０に取付けられた清掃マット３０をしごくためのものとなっている。連結部４３は、上記嵌合部４１としごき部４２とを一体的に連結している。連結部４３の断面形状は、下保持棒１１の外周面に沿うように略円弧状とされて、弾性変形可能とされている。
【００２８】
しごき部４２は、しごき用のローラ４５と複数の突起部４６とガイドローラ４７（ガイドローラ４７については図１１参照）とを有する。ローラ４５は、折りたたみ位置にある保持板２０の幅方向に伸びるようにして、回転可能にしごき部４２に保持されている。突起部４６は、折りたたみ位置にある保持板２０の幅方向に間隔を開けて複数形成されている。突起部４６の先端部は、清掃マット３０へのひっかかりが生じにくいように、丸みを有するようにされている。この突起部４６の先端の高さ位置は、ローラ４５の高さ位置とほぼ同一とされている。このようなしごき部４２の内部空間４２ａ内を、折りたたみ位置とされた保持板２０と保持板２０に取付けられた清掃マット３０と下保持棒１１とが通過可能とされて、ローラ４５、突起部４６によって、清掃マット３０が押圧されつつしごかれるようになっている（図５参照）。連結部４３における下保持棒１１の径方向での適度の弾性変形によって、不必要に大きな力でもってしごき部４２が清掃マット３０を押圧してしまう事態が防止される。
【００２９】
上記ガイドローラ４７は、図１１に示すように、しごき用のローラ４５と対向するようにして、左右一対設けられている。ローラ４５とガイドローラ４７との間隔は、保持板２０とこれに取付けた清掃マット３０との合計の厚さよりも小さくされている。
【００３０】
しごき部４２の先端面４２ｂ、すなわち下保持棒１１の先端側となる面は、下保持棒１１と直角をなす直角平面と平行な平坦面を有するようにされている。具体的には、全周囲が閉じられた環状の先端面４２ａが、下保持棒１１と直角をなす同一平面上にあるようにされている。これにより、しごき部４１を下保持棒１１に対してもっとも先端側に位置させた状態を示す図６の状態では、図７に示すように、しごき部４１の先端面４２ａを床面６０に着座させることにより、清掃具Ｓが直立状態の姿勢でもって床面７０上に載置された状態が保持されるようになっている。
【００３１】
しごき用部材４０は、下保持棒１１に対する摺動変位位置が、上下一対のストッパ部６１、６２によって規制される。ストッパ部６１は、先端側の位置規制用で、しごき部４２の先端面４２ａが清掃具Ｓのもっとも先端側に位置された図６の状態から、しごき部４２（つまりしごき用部材４０）がそれ以上清掃具Ｓの先端側に変位されることを規制する。このようなストッパ部６１は、しごき用部材４０における連結部４３の内面側に設けた係止壁部（図示略）と、下保持棒１１の先端部を構成する取付ブラケット１３の基端面とによって構成されている。すなわち、上記係止壁部が取付ブラケット１３の基端面に当接することによる変位規制で、図１、図３において、取付ブラケット１３の基端面にストッパ部６１の符号を付してある。
【００３２】
ストッパ部６２は、図３に示すように、下保持棒１１の外周にねじ止めされた係止凸部６２ａと、しごき用部材４０における嵌合部４１の基端面側の内周に形成された係止凹部６２ｂとによって構成されている、すなわち、しごき用部材４０を下保持棒１１の基端部側に向けて変位させた際に、係止凸部６２ａが係止凹部６２ｂ内に嵌合、係止されて、これ以上の変位が規制される。そして、係止凸部６２ａと係止凹部６２ｂとはきつい嵌合関係となるように設定されて、大きな外力を加えない限り、係止凸部６２ａと係止凹部６２ｂとの嵌合状態が維持される（しごき用部材４０が、自重や振動によって下保持棒１１の先端部側に不用意に変位してしまうことの規制）。
【００３３】
次に、清掃具Ｓの使用やその収納について説明する。まず、使用の際には、あらかじめ、しごき用部材４０を、ストッパ部６２を利用して、下保持棒１１の高い位置に保持させておく。これにより、保持板２０が、下保持棒１１に対して自由に回動される状態となる。
【００３４】
次いで、清掃マット３０を、保持板２０の一面側２０ａに取付ける（清掃マット３０の係止袋部３０ａ内に保持板２０の係止爪部２０を挿入すると共に、面ファスナ２１を利用した取付け）。
【００３５】
保持板２０に清掃マット３０が取付けられた状態で、清掃マット３０を、例えばバケツ内の洗浄水中に浸して、清掃マット３０に適量だけ吸水させる。この後は、保持棒１０を操作して、清掃マット３０でもって床面をこするようにして清掃を行えばよい。なお、保持棒１０が、下保持棒１１のみでは短い場合は、下保持棒１１に上保持棒１２を連結すればよい。
【００３６】
清掃により清掃マット３０が汚れた場合は、まず、清掃マット３０を保持板２０と共に例えばバケツ内の洗浄水中に浸して、清掃マット３０に付着した汚れを十分に除去する。次いで、保持板２０を、図３に示すように折りたたみ位置とする。
【００３７】
この後、しごき用部材４０（の嵌合部４１）に下方への外力を加えて、ストッパ部６２のストッパ作用を解除する（係止凸部６２ａと係止凹部６２ｂとの嵌合解除）。そして、図５に示すように、清掃マット３０や保持板２０がしごき部４２の内部空間４２ａ内に位置した状態で、１回ないし数回しごき用部材４０を往復させる。これにより、しごき部４２のローラ４５や突起部４６によって、清掃マット３０の表面が押圧されつつしごかれて、清掃マット３０から余分な水分が除去されると共に、残存している汚物が除去される。
【００３８】
必要に応じて、上述した作業が繰り返されることになる。清掃が終了したとき、あるいは清掃を一時的に中断するときは、しごき部４２が下保持棒１１のもっとも先端側に位置するようにした後（図６対応）、しごき部４２の先端面４２ａを所望位置で床面７０に載置する。これにより、図７に示すように、清掃具Ｓは、床面７０上において、直立状態、つまり保持棒１０が上下方向に伸びた姿勢状態でもって安定した姿勢が保持されることになる。このように、本考案では、しごき部４２を、清掃マット３０のしごき用としてのみならず、清掃具Ｓを直立状態で保持しておくための台座として有効利用するものとなっている。
【００３９】
ここで、しごき部４２によって清掃マット３０をしごく際には、まずしごき部４２の内部空間４２ａ内に清掃マット３０を挿入する必要がある。この挿入の際に、しごき部４２によって清掃マット３０の端部が保持板２０から引きはがされるような作用を受けても、係止爪部２０ｃと係止袋部２０ａとの係止作用によって、不用意に清掃マット３０の端部が保持板２０から引きはがされてしまう事態が防止される。
【００４０】
しごき部４２でもって清掃マット３０をしごく際に、ローラ４５の回転によって、清掃マット３０を円滑にしごくことができる。また、しごき部４２に設けた突起部４６によって、清掃マット３０の表面に残存する髪の毛等の糸状片等が、かすりとられることになり、清掃マット３０から十分に汚物を除去した状態で次の清掃を行うことが可能となる。しごき用部材４０を長尺にすることにより、清掃者が高い姿勢位置でもって清掃マット３０のしごきを行うことができ、かがんだ姿勢でもって清掃マット３０のしごきを行う場合に比して作業労力を軽減することができる。さらに、ローラ４５によって清掃マット３０のしごきを行う際に、ガイドローラ４７によって保持板２０がスムーズにガイドされると共に、ローラ４５による清掃マット３０に対する押圧状態が確実に確保される。
【００４１】
以上実施形態について説明したが、本考案は、実施形態に限定されるものではなく、実用新案登録請求の範囲の記載された範囲において適宜の変更が可能であり、例えば次のような場合をも含むものである。清掃マット３０は、不織布やスポンジ等適宜の部材（材質）によって形成することができ、複数種用意して、複数種の清掃マット３０の中から清掃面に応じて適切なものを選択できるようにすることもできる。保持棒１０は、分割構成としないでもよい。しごき用部材４０としては、しごき部４２に摺動変位させるための操作用の短い取っ手を設けた全体として短尺のものとすることもできる。図７に示す直立姿勢をより安定して確保するために、しごき部４２に重り（重錘）を設けておくこともできる。保持棒１０と保持板２とを、球面継手を介して回動自在に連結するようにしてもよい。
【産業上の利用可能性】
【００４２】
本考案は、清掃具として好適である。
【符号の説明】
【００４３】
Ｓ：清掃具
１０：保持棒
１１：下保持棒
１１ａ：継手部
１２：上保持棒
１３：取付ブラケット
２０：保持板
２０ａ：一面側
２０ｂ：支持部
２０ｃ：係止爪部
２１：面ファスナ
３０：清掃マット
３０ａ：係止袋部
４０：しごき用部材
４１：嵌合部
４２：しごき部
４２ａ：内部空間
４２ｂ：先端面
４３：連結部
４５：ローラ
４６：突起部
４７：上ローラ
５０：継手
５１：継手部材
５１ａ：軸部
５２：連結ピン
６１：ストッパ部
６２：ストッパ部
６２ａ：係止凸部
６２ｂ：係止凹部
７０：床面
【図１】
0003203756.tif 000003
【図２】
0003203756.tif 000004
【図３】
0003203756.tif 000005
【図４】
0003203756.tif 000006
【図５】
0003203756.tif 000007
【図６】
0003203756.tif 000008
【図７】
0003203756.tif 000009
【図８】
0003203756.tif 000010
【図９】
0003203756.tif 000011
【図１０】
0003203756.tif 000012
【図１１】
0003203756.tif 000013